(57)【要約】【解決手段】  機密保護装置は、コピー保護のための機密保護装置において、コピー保護された暗号化コンテンツを復号するための識別情報を保存するＩＤデータベース（３）と、短距離伝送システムを介して、外部機器に／から識別情報を送信及び／又は受信する送受信手段（５、２）と、予め定義された送信及び／又は受信の権利に基づいて、識別情報の送信及び受信を制御するＩＤハンドラ（４）とを備える。また、本発明が提供するコピー保護されたコンテンツを実行するレンダリング装置は、コピー保護された暗号化コンテンツを提供するデータソース（１８、１９、２０）と、短距離伝送システムを介して、機密保護装置（１）から、暗号化コンテンツを復号するための識別情報を受信する受信手段（５、２）と、暗号化コンテンツを復号し、復号されたコンテンツを実行するために、各コピー保護された暗号化コンテンツに各識別情報を割り当てるコントローラ（１１）とを備える。更に、コピー保護のための方法及びコピー保護されたコンテンツを実行するための方法を提供する。【選択図】  図１
2006146940.tif 000002
【特許請求の範囲】
【請求項１】
コピー保護のための機密保護装置において、
コピー保護された暗号化コンテンツを復号するための識別情報を保存するＩＤデータベース（３）と、
短距離伝送システムを介して、外部機器に／から上記識別情報を送信及び／又は受信する送受信手段（５、２）と、
予め定義された送信及び／又は受信の権利に基づいて、上記識別情報の送信及び受信を制御するＩＤハンドラ（４）とを備える機密保護装置。
【請求項２】
上記送受信手段（５、２）は、コピー保護された暗号化コンテンツを上記各識別情報によって復号するために、上記ＩＤデータベース（３）に保存されている識別情報をレンダリング装置（１０）に送信することを特徴とする請求項１記載の機密保護装置。
【請求項３】
上記ＩＤデータベース（３）に保存されている識別情報は、異なる個人に割り当てられていることを特徴とする請求項１又は２記載の機密保護装置。
【請求項４】
上記ＩＤデータベース（３）には、全ての識別情報と共に、それぞれの割当情報が保存されることを特徴とする請求項３記載の機密保護装置。
【請求項５】
上記ＩＤデータベース（３）に保存される少なくとも１つの識別情報は、当該機密保護装置（１）のユーザに割り当てられることを特徴とする請求項３又は４記載の機密保護装置。
【請求項６】
上記ＩＤハンドラ（４）は、当該機密保護装置（１）のユーザに割り当てられた少なくとも１つの識別情報を、第２の機密保護装置に伝送することを許可することを特徴とする請求項５記載の機密保護装置。
【請求項７】
上記ＩＤハンドラ（４）は、当該機密保護装置（１）のユーザ以外の個人に割り当てられた識別情報を、第２の機密保護装置に送信することを禁止することを特徴とする請求項５又は６記載の機密保護装置。
【請求項８】
上記ＩＤデータベース（３）において、全ての識別情報と共に、送信及び／又は受信の時刻に関する情報が保存されることを特徴とする請求項５乃至７いずれか１項記載の機密保護装置。
【請求項９】
所定の期間経過後に、当該機密保護装置（１）のユーザ以外の個人に割り当てられた全ての識別情報をＩＤデータベース（３）から削除することを特徴とする請求項８記載の機密保護装置。
【請求項１０】
上記短距離伝送システムは、ブルートゥース又は赤外線伝送システムであることを特徴とする請求項１乃至９いずれか１項記載の機密保護装置。
【請求項１１】
請求項１乃至１０いずれか１項記載の機密保護装置（１）を備える無線通信システムのためのモバイル端末装置。
【請求項１２】
コピー保護された暗号化コンテンツを提供するデータソース（１８、１９、２０）と、
短距離伝送システムを介して、機密保護装置（１）から、上記暗号化コンテンツを復号するための識別情報を受信する受信手段（５、２）と、
上記暗号化コンテンツを復号し、復号されたコンテンツを実行するために、上記各コピー保護された暗号化コンテンツに上記各識別情報を割り当てるコントローラ（１１）とを備えるコピー保護されたコンテンツを実行するレンダリング装置。
【請求項１３】
上記受信した識別情報は、ＩＤデータベース（１３）に保存されることを特徴とする請求項１２記載のレンダリング装置。
【請求項１４】
上記ＩＤデータベース（１３）には、全ての識別情報と共に、それぞれの割当情報が保存されることを特徴とする請求項１３記載のレンダリング装置。
【請求項１５】
所定の期間経過後に、全ての識別情報がＩＤデータベース（１３）から削除されることを特徴とする請求項１４記載のレンダリング装置。
【請求項１６】
上記短距離伝送システムは、ブルートゥース又は赤外線伝送システムであることを特徴とする請求項１２乃至１５いずれか１項記載のレンダリング装置。
【請求項１７】
機密保護装置におけるコピー保護のためのコピー保護方法において、
ＩＤデータベース（３）に、コピー保護された暗号化コンテンツを復号するための識別情報を保存するステップと、
短距離伝送システムを介して、外部機器に／から上記識別情報を送信及び／又は受信するステップと、
予め定義された送信及び／又は受信の権利に基づいて、上記識別情報の送信及び受信を制御するステップとを有するコピー保護方法。
【請求項１８】
上記コピー保護された暗号化コンテンツを上記各識別情報によって復号するために、上記ＩＤデータベース（３）に保存されている識別情報をレンダリング装置（１０）に送信するステップを更に有する請求項１７記載のコピー保護方法。
【請求項１９】
上記ＩＤデータベース（３）に保存されている識別情報を異なる個人に割り当てるステップを更に有する請求項１７又は１８記載のコピー保護方法。
【請求項２０】
上記ＩＤデータベース（３）に、全ての識別情報と共に、それぞれの割当情報を保存するステップを更に有する請求項１９記載のコピー保護方法。
【請求項２１】
上記ＩＤデータベース（３）に保存されている少なくとも１つの識別情報を、上記機密保護装置（１）のユーザとして割り当てるステップを更に有する請求項１９又は２０記載のコピー保護方法。
【請求項２２】
上記機密保護装置（１）のユーザに割り当てられた少なくとも１つの識別情報を、第２の機密保護装置に伝送することを許可するステップを更に有する請求項２１記載のコピー保護方法。
【請求項２３】
上記機密保護装置（１）のユーザ以外の個人に割り当てられた識別情報を、第２の機密保護装置に送信することを禁止するステップを更に有する請求項２１又は２２記載のコピー保護方法。
【請求項２４】
上記ＩＤデータベース（３）に、全ての識別情報と共に、送信及び／又は受信の時刻に関する情報を保存するステップを更に有する請求項２１乃至２３いずれか１項記載のコピー保護方法。
【請求項２５】
所定の期間経過後に、上記機密保護装置（１）のユーザ以外の個人に割り当てられた全ての識別情報をＩＤデータベース（３）から削除するステップを更に有する請求項２４記載のコピー保護方法。
【請求項２６】
レンダリング装置において、コピー保護されたコンテンツを実行するコンテンツ実行方法において、
上記コピー保護された暗号化コンテンツを提供するステップと、
短距離伝送システムを介して、機密保護装置（１）から、上記暗号化コンテンツを復号するための識別情報を受信するステップと、
上記暗号化コンテンツを復号し、復号されたコンテンツを実行するために、上記各コピー保護された暗号化コンテンツに上記各識別情報を割り当てるステップとを有するコンテンツ実行方法。
【請求項２７】
上記受信した識別情報をＩＤデータベース（１３）に保存するステップを更に有する請求項２６記載のコンテンツ実行方法。
【請求項２８】
上記ＩＤデータベース（１３）に、全ての識別情報と共に、それぞれの割当情報を保存するステップを更に有する請求項２７記載のコンテンツ実行方法。
【請求項２９】
所定の期間経過後に、上記識別情報を上記ＩＤデータベース（１３）から削除するステップを更に有する請求項２８記載のコンテンツ実行方法。
【発明の詳細な説明】
【技術分野】
【０００１】
本発明は、コピー保護のための機密保護装置及びコピー保護されたコンテンツを実行するためのレンダリング装置に関する。更に、本発明は、機密保護装置におけるコピー保護のためのコピー保護方法及びレンダリング装置においてコピー保護されたコンテンツを実行するコンテンツ実行方法に関する。
【背景技術】
【０００２】
デジタル技術により、例えば、静止画像、オーディオ及び映画等のコンテンツがデジタル化されるだけではなく、一旦、コンテンツをデジタル化すると、コンテンツの完全なコピーを作成できるようになる。すなわち、デジタルコンテンツは、完全にコピーでき、世代数に制限がないコピーの作成が可能である。このようなコピー行為は、コンテンツ消費者にとって便利である反面、コンテンツ作成者にとっては、様々な問題が生じ、知的所有権者、並びに再販業者及びサポート提供業者らに多大な経済的損失をもたらす虞がある。
【０００３】
したがって、デジタルデータの提供業者は、不正にコピーされたデジタルデータの製造及び配信を防止するための解決策を模索している。
【０００４】
従来の技術の大部分は、例えば、暗号技術を用いて、コンテンツをスクランブル又は暗号化し、デジタルコンテンツを認識できない形式に変更することによって、コピー問題に対処する。これにより、例えば、復号鍵又は逆スクランブルアルゴリズム等の更なる知識及び／又は技術によってのみ、コンテンツが利用できるようになる。この場合、第三者が単にコンテンツをコピーすることは可能であるが、コンテンツを十分に利用することができないようにすることができる。このような手法は、一般的に、デジタル権利管理（digital right management：以下、ＤＲＭという。）と呼ばれる。
【０００５】
コンピュータ上でＤＲＭ保護されたコンテンツを実行する場合、通常、適切なＤＲＭソフトウェアをインストールする必要がある。しかしながら、この手法は、デジタルコンテンツの合法的な所有者が、新たな場所に、例えば、新たに購入したコンピュータ、又は家庭用ステレオシステムからカーステレオシステムに、コンテンツのコレクションと共に必要なＤＲＭの要素を移動させることを望む場合、問題を生じることが多い。
【発明の開示】
【発明が解決しようとする課題】
【０００６】
そこで、本発明の目的は、大規模な著作権侵害行為を回避すると同時に、消費者に過剰な制約を与えず、消費者が個人的なコピーを自由に作成できるようにしたコピー保護及びコピー保護されたコンテンツを実行するためのシステムを提供することである。
【課題を解決するための手段】
【０００７】
上述の目的は、請求項１に基づくコピー保護のための機密保護装置によって達成される。
【０００８】
本発明に係る機密保護装置は、コピー保護のための機密保護装置において、コピー保護された暗号化コンテンツを復号するための識別情報を保存するＩＤデータベースと、短距離伝送システムを介して、外部機器に／から識別情報を送信及び／又は受信する送受信手段と、予め定義された送信及び／又は受信の権利に基づいて、識別情報の送信及び受信を制御するＩＤハンドラとを備える。
【０００９】
また、上述の目的は、請求項１２に基づく、コピー保護されたコンテンツを実行するためのレンダリング装置によって達成される。
【００１０】
本発明に係るコピー保護されたコンテンツを実行するレンダリング装置は、コピー保護された暗号化コンテンツを提供するデータソースと、短距離伝送システムを介して、機密保護装置から、暗号化コンテンツを復号するための識別情報を受信する受信手段と、暗号化コンテンツを復号し、復号されたコンテンツを実行するために、各コピー保護された暗号化コンテンツに各識別情報を割り当てるコントローラとを備える。
【００１１】
また、上述の目的は、請求項１７に基づく、機密保護装置におけるコピー保護のためのコピー保護方法によって達成される。
【００１２】
本発明に係るコピー保護方法は、機密保護装置におけるコピー保護のためのコピー保護方法において、ＩＤデータベースに、コピー保護された暗号化コンテンツを復号するための識別情報を保存するステップと、短距離伝送システムを介して、外部機器に／から識別情報を送信及び／又は受信するステップと、予め定義された送信及び／又は受信の権利に基づいて、識別情報の送信及び受信を制御するステップとを有する。
【００１３】
更に、上述の目的は、請求項２６に基づく、レンダリング装置において、コピー保護されたコンテンツを実行するコンテンツ実行方法よって達成される。
【００１４】
本発明に係るコンテンツ実行方法は、レンダリング装置において、コピー保護されたコンテンツを実行するコンテンツ実行方法において、コピー保護された暗号化コンテンツを提供するステップと、短距離伝送システムを介して、機密保護装置から、暗号化コンテンツを復号するための識別情報を受信するステップと、暗号化コンテンツを復号し、復号されたコンテンツを実行するために、各コピー保護された暗号化コンテンツに各識別情報を割り当てるステップとを有する。
【００１５】
このように、本発明では、コンテンツを復号するための各ＩＤが利用可能であれば、コピー保護されたコンテンツを実行できる。更に、他の機器に及び／又は他の機器からＩＤを送信及び／又は受信できるようにするとともに、ＩＤハンドラによってＩＤの送信及び受信を制御することによって、ＩＤの交換を任意のレベルに制限でき、大規模な著作権侵害行為を回避すると同時に、ユーザが私的利用目的でＩＤをコピーする権利を保証することができる。
【００１６】
送受信手段は、好ましくは、コピー保護された暗号化コンテンツを各識別情報によって復号するために、ＩＤデータベースに保存されている識別情報をレンダリング装置に送信する。
【００１７】
ＩＤデータベースに保存されている識別情報は、好ましくは、異なる個人に割り当てられる。
【００１８】
好適な実施形態においては、ＩＤデータベースには、全ての識別情報と共に、それぞれの割当情報が保存される。
【００１９】
ＩＤデータベースに保存される少なくとも１つの識別情報は、好ましくは、機密保護装置のユーザに割り当てられる。
【００２０】
更に好ましくは、ＩＤハンドラは、機密保護装置のユーザに割り当てられた少なくとも１つの識別情報を、第２の機密保護装置に伝送することを許可する。
【００２１】
ＩＤハンドラは、好ましくは、機密保護装置のユーザ以外の個人に割り当てられた識別情報を、第２の機密保護装置に送信することを禁止する。
【００２２】
更に好ましくは、ＩＤデータベースにおいて、全ての識別情報と共に、送信及び／又は受信の時刻に関する情報が保存される。
【００２３】
好ましくは、所定の期間経過後に、機密保護装置のユーザ以外の個人に割り当てられた全ての識別情報をＩＤデータベースから削除する。
【００２４】
短距離伝送システムは、ブルートゥース（Bluetooth）又は赤外線伝送システムであってもよい。
【発明を実施するための最良の形態】
【００２５】
本発明に基づくコピー保護を実現するために識別情報（ＩＤ）を交換するシステムの構成を図３に示す。ここでは、ユーザは、コピー保護された暗号化コンテンツを復号するために使用される一意的なユーザＩＤ２４を有している。このユーザＩＤ２４は、個人的な機密保護装置２１に保存される。機密保護装置２１は、例えば、携帯電話機であってもよく、又は、デジタルパスポート、デジタルドア開閉装置等、一般的な識別目的のために用いられる如何なる個人的な機器であってもよい。また例えば、自動車の座席及びミラーの位置、オーディオ／ビデオ設定等、個人的な嗜好プロファイルを保存するための機器も個人的な機密保護装置として用いることができる。勿論、上述した機器を任意に組み合わせてもよい。
【００２６】
ユーザＩＤ２４は、ユーザの機密保護装置２１から第２の機密保護装置又はレンダリング装置に移動させることができる。ユーザＩＤ２４の送信は、例えば、ブルートゥース、赤外線等、無線で実行してもよく、ケーブル等の他の伝送メカニズムを用いて行ってもよい。いずれの場合も、ユーザＩＤ２４が送信される機器は、短距離伝送を実現できる程度に、ユーザの機密保護装置２１の近くに存在する必要がある。例えば、インターネット、無線通信等を介した長距離伝送は許可されない。
【００２７】
ユーザの機密保護装置２１は、ユーザのレンダリング装置３０、３１にユーザＩＤ２４を提供する。ユーザのレンダリング装置３０、３１は、コピー保護されたコンテンツを実行できる。ここで、コンテンツは、特定の鍵で暗号化されるていので、レンダリング装置は、それぞれのユーザＩＤ２４が存在している場合のみ、コンテンツを復号し、実行することができる。本発明では、コピー保護されたコンテンツを復号するために、２つの手法でユーザのレンダリング装置３０、３１にユーザＩＤ２４を提供することができる。第１の手法として、ユーザの機密保護装置２１からユーザのレンダリング装置３０、３１にユーザＩＤ２４を送信してもよく、この場合、ユーザＩＤ２４は、ユーザのレンダリング装置３０、３１に保存され、これにより、ユーザの機密保護装置２１が近くに存在しない場合でも、保存されたユーザＩＤ２４を用いてコピー保護されたコンテンツを復号及び実行できる。第２の手法では、ユーザＩＤ２４は、ユーザのレンダリング装置３０、３１に保存されない。コピー保護されたコンテンツを復号し、実行するためには、ユーザの機密保護装置２１は、ユーザのレンダリング装置３０、３１がユーザの機密保護装置２１に保存されたユーザＩＤ２４にアクセスできるように、ユーザのレンダリング装置３０、３１の通信範囲内に存在する必要がある。
【００２８】
上述したシステムと同様の構成で、ユーザの友人は、友人ＩＤ２５を保存する友人の機密保護装置２２を所有しており、友人ＩＤ２５は、コピー保護された暗号化コンテンツを復号するために、友人のレンダリング装置３２、３３に供給される。同様に友人の友人のレンダリング装置３４、３５によってコピー保護されたコンテンツを復号及び実行するために、友人の友人の機密保護装置２３に保存される友人の友人ＩＤ２６は、友人の友人のレンダリング装置３４、３５に供給される。
【００２９】
本発明では、配信に関する制約を受けることなく、他の如何なる機器にも、コピー保護された暗号化コンテンツを自由に送信することができる。なお、各ＩＤを入手しなければ、暗号化コンテンツを実行することはできない。したがって、本発明では、コピー保護されたコンテンツを復号するために必要であるＩＤのコピーを制限することによって、コピー保護を実現することができる。
【００３０】
ユーザと友人が会い、ユーザがユーザの機密保護装置２１を有し、友人がその近傍に友人の機密保護装置２２を有する場合、これらの機密保護装置間でそれぞれのＩＤを交換できる。これは、ユーザが自らのユーザＩＤ２４を、ユーザの機密保護装置２１から友人の機密保護装置２２に転送し、友人が友人ＩＤ２５を、友人の機密保護装置２２からユーザの機密保護装置２１に転送することを意味する。これにより、ユーザは、友人ＩＤ２５によって復号する必要があるコピー保護されたコンテンツを実行できるようになり、友人は、ユーザＩＤ２４で復号する必要があるコピー保護されたコンテンツを実行できるようになる。同様に、友人と、友人の友人とは、それぞれのＩＤを交換でき、すなわち、友人は、自らの友人ＩＤ２５を友人の友人の機密保護装置２３に送信し、友人の友人は、友人の友人ＩＤ２６を、友人の友人の機密保護装置２３から友人の機密保護装置２２に送信することができる。
【００３１】
ＩＤの大規模なコピーを回避するために、本発明では、幾つかの種類の送信制限を設けてもよい。第１の手法として、個人が他の機密保護装置にその個人のＩＤを送信することのみを許可し、他の機密保護装置から受信したＩＤは送信できないようにしてもよい。図３の具体例に則して説明すれば、これは、友人は、友人の友人の機密保護装置２３にユーザＩＤ２４を送信することができず、友人の友人ＩＤ２６をユーザの機密保護装置２１に送信することもできないことを意味する。したがって、ユーザと、友人の友人とが個人的に会わない限り、ユーザは、友人の友人ＩＤ２６によって復号する必要があるコピー保護されたコンテンツを実行できず、友人の友人は、ユーザＩＤ２４によって復号する必要があるコピー保護されたコンテンツを実行できない。このメカニズムにより、個人がコピー保護されたコンテンツを友人と共有する自由を保証できると同時に、大規模なコピーを防止することができる。
【００３２】
更なる手法として、ＩＤだけではなく、ＩＤがいつ送信されたかに関する情報を保存してもよい。これは、ユーザが自らのユーザＩＤ２４を友人の機密保護装置２２に送信すると、ユーザＩＤ２４と共に、送信の日時に関する情報も保存されることを意味する。ユーザと友人が再会すると、この日時に関する情報は、更新される。この他の場合、すなわち、ユーザと友人が定期的に会わず、又は今後一切会わなければ、友人の機密保護装置２２に保存されているユーザＩＤ２４は、期限切れになり、削除される。レンダリング装置に保存されたＩＤにも期限を設定してもよい。例えば、ユーザが自らのユーザＩＤ２４を第１のレンダリング装置３０に送信したが、レンダリング装置３０において、自らのユーザＩＤ２４を長期間使用しなかった場合、レンダリング装置３０において、ユーザＩＤ２４を期限切れにしてもよい。
【００３３】
他の手法として、例えば、家族等、非常に頻繁に会う個人を特定してもよい。そして、家族間では、それぞれの個人ＩＤだけではなく、それぞれが友人から受信した全てのＩＤも交換できるようにしてもよい。これにより、家族内の１人が実行できるコンテンツを、家族全員が実行できるようにすることができる。連鎖的にＩＤが拡散することを回避するために、家族間でも、他の機密保護装置から直接受信したＩＤしか交換できないようにしてもよい。家族間の交換によって得られた友人ＩＤを、他の家族のメンバには送信しないようにしてもよい。
【００３４】
更に、所定のコンテンツを保護するために、ユーザが他の個人又は集団への自らのＩＤの伝達性を任意に制限できるようにしてもよい。
【００３５】
以下、図１を用いて、本発明に基づく機密保護装置１のコンポーネントについて説明する。機密保護装置１は、短距離伝送システムを介して、機密保護装置から及び他の機密保護装置にＩＤを受信及び送信し、及びレンダリング装置にＩＤを送信するための無線インタフェース５及びアンテナ２を備える。ＩＤデータベース３には、受信したＩＤと、友人のＩＤとが永続的に保存される。ここでは、家族のＩＤを独立したカテゴリに区別して保存してもよい。
【００３６】
上述したように、ＩＤデータベース３に保存されたＩＤは、機密保護装置１のユーザに割り当てられ、又は機密保護装置１のユーザの友人に割り当てられる。したがって、保存されたＩＤの送信の権利を制御するために、各ＩＤと共に、それぞれの割当情報も保存される。更に、各ＩＤと共に、どのＩＤを引き続き保存し、どのＩＤを期限切れとして削除するかを判断するために、ユーザが他の個人と接触した接触時刻及び接触頻度に関する情報も保存される。ＩＤハンドラ４は、無線インタフェース５からＩＤを読み出し、読み出したＩＤをＩＤデータベース３に保存する機能を担っている。更に、ＩＤハンドラ４は、アンテナ２に接続されている無線インタフェース５を介して自己のＩＤを報知する。ＩＤハンドラ４は、ＩＤデータベース３において利用可能な全てのデータから、信頼できる友人及び／又は家族リストを生成し、このリストを、無線インタフェース５を介して、レンダリング装置に送信する。これにより、レンダリング装置は、いずれかの友人から受け取ったコンテンツを再生及び実行することが認められる。
【００３７】
機密保護装置１は、鍵又はカード等の専用機器であってもよく、更なる機能を有する複合的な機器であってもよい。例えば、機密保護装置のために必要であるコンポーネントを携帯電話機に実装してもよく、これにより、携帯電話機を機密保護装置として用いることができる。
【００３８】
次に、図２を参照して、レンダリング装置１０のコンポーネントについて説明する。レンダリング装置１０は、機密保護装置１と同様に、接触時刻及び接触頻度と共にＩＤを保存するＩＤデータベース１３と、ＩＤの送信、受信及び保存を制御するためのＩＤハンドラ４と、ＩＤを送信及び受信するための無線インタフェース１５及びアンテナ１２とを備える。ＩＤハンドラ１４は、無線インタフェース１５を介して受信した全てのＩＤをＩＤデータベース１３に保存する。友人の数を制限するために、レンダリング装置１０が頻繁に受信しないＩＤは、所定の期間経過後に削除してもよい。
【００３９】
レンダリング装置１０における全てのデータフローは、データハンドラであるコントローラ１１によって制御される。データの可能なソースとしては、例えば、ハードディスクドライブ等のローカル記憶装置１８、ＣＤ、ＤＶＤ、メモリスティック等のリムーバブルメディアを駆動するメディアドライブ１９、インターネット又はローカルネットワークへの接続を提供するネットワークインタフェース２０等がある。また、これらのデータソースは、データシンクとしても機能する。更に、レンダリング装置１０自体も、スピーカ９又はディスプレイを備えるデータシンクとしても機能する。
【００４０】
これらのデータソースとデータシンクとの間では、保護されていないコンテンツを制限なしで送受することができる。ネットワーク又はリムーバブルメディアからの保護されたコンテンツは、対応するコピー保護システムによってアクセスする必要がある。レンダリング装置１０では、このようなコンテンツ保護システムの異なるインプリメンテーションを用いることができる。ネットワークベースの配信では、現在、ウィンドウズ（登録商標）メディアＤＲＭ（Windows（登録商標） Media DRM）、フェアプレイ（Fairplay）、ハーモニー（Harmony）、オープンマジックゲート（Open Magic Gate）等がコピー保護のために用いられている。更に、ＤＶＤ及びオーディオＣＤでは、異なるコピー保護メカニズムが用いられている。
【００４１】
コピー保護システムが保護されたコンテンツの再生を禁止しない限り、保護されたコンテンツは、ローカルのレンダリング装置及びスピーカにストリーミングすることができる。デバイス設計により、保護されたコンテンツは、永続的にハードディスクドライブに保存することもできる。基本的に、この設計は、ハードディスクが、コントローラ１１によってのみしかアクセスできないか、機器上の他のアプリケーションでもアクセスできるかに依存する。なお、保護されたコンテンツは、リムーバブルストレージ媒体又はネットワークに直接コピーすることはできない。このようなチャンネルを介してコンテンツを配信するためには、コピー要求の間にアクセス可能である個人の機密保護装置１によって提供されるＩＤを用いて、暗号化エンジン１６によってコンテンツを暗号化する必要がある。暗号化の後は、再生には、コピーを行った個人のＩＤが必要になるので、あらゆるチャンネルを介して、自由にコンテンツを配信することができる。
【００４２】
復号エンジン１７は、他の機器によって暗号化されたコンテンツを復号するために用いられる。暗号化のために用いられたＩＤは、復号処理において必要となる。ＩＤデータベース１３において、必要なＩＤが使用できない場合、コンテンツの復号は拒否される。コンテンツが友人から供給され、ＩＤデータベース１３において、有効なＩＤが使用できる場合、このコンテンツは復号でき、レンダリング装置１０上で実行することが許可される。更に、このコンテンツは、ハードディスクドライブに永続的に保存してもよい。これに対し、自己のＩＤでコンテンツを暗号化することによって、友人がリムーバブルメディア又はネットワークにそのコンテンツをコピーすることを禁止できる。これにより、コンテンツへのアクセスは、友人に制限され、友人の友人は、コンテンツにアクセスできない。
【００４３】
この結果、このような暗号化コンテンツは、インターネットを介して配信できるが、コンテンツを再生できるのは、所有者とその友人に限定される。このように、コンテンツの所有者は、制約無くコンテンツをコピーし、実行することができる。更に、所有者の友人もコンテンツを実行できる。これにより、コンテンツ保護に関する承諾が得やすくなる。更に、娯楽コンテンツの配布、例えば、友人に音楽データを提供する等の行為は、更に売上げを上げるためのある種の広告にもなる。友人が、受け取ったコンテンツを気に入れば、その友人が正規のコピーを購入し、更にその友人の友人にお気に入りのコンテンツを聴かせるといった連鎖も生じる。
【図面の簡単な説明】
【００４４】
【図１】本発明に基づく機密保護装置の構成要素を図式的に示すブロック図である。
【図２】本発明に基づくレンダリング装置の構成要素を図式的に示すブロック図である。
【図３】本発明に基づき、ＩＤを交換するシステムを図式的に示すブロック図である。
【図１】
2006146940.tif 000003
【図２】
2006146940.tif 000004
【図３】
2006146940.tif 000005
【外国語明細書】
2006146940000001.pdf
2006146940000002.pdf
2006146940000003.pdf
2006146940000004.pdf